(57)【要約】【課題】食器洗浄機に給湯する際に設置場所の制約を受けることなく給湯することが可能であり、操作性に優れた分岐金具を提供する。【解決手段】内部に温水または水道水の流路が形成される分岐本体１には分岐口２が設けられ、分岐口２と継手３とは、継手３が分岐口２に対して回動可能となるように、袋ナット４により締付けられている。分岐本体１に接続された継手３が回動可能であるため、給湯ハンドルまたは給水ハンドルと干渉することなく、食器洗浄機等へ温水または水道水を供給するための流路を確保することができる。食器洗浄機等を配置する際に、スペースの制約を受けることなく、食器洗浄機等を任意の場所に設置することが可能となる。【選択図】          図１
2004156354.tif 000002
【特許請求の範囲】
【請求項１】
温水または水道水を複数の流路に分流するための分岐本体に分岐口を有する分岐金具であって、前記複数の流路が形成された分岐本体の分岐口にブッシュを介して継手を接続し、前記継手を前記分岐口に対して回動可能としたことを特徴とする分岐金具。
【請求項２】
前記ブッシュの外周部に鍔部が形成され、この鍔部と袋ナットとの間に空隙が生じるようにして、前記ブッシュと前記分岐口とが袋ナットにより締め付けられて接続されていることを特徴とする請求項１記載の分岐金具。
【請求項３】
前記ブッシュの外周の一部をＯリングで覆い、前記ブッシュと前記分岐口とが袋ナットにより締め付けられて接続されていることを特徴とする請求項１又は２記載の分岐金具。
【請求項４】
水栓吐水側または分岐側への流路を変更する切替えハンドルを、操作側から見て前記分岐本体の前面に設けたことを特徴とする請求項１から３のいずれかに記載の分岐金具。
【請求項５】
切替えハンドル近傍に流路表示部材を備えるとともに、前記流路表示部材は切欠部を有する略Ｃ形状であり、その内側に分岐本体と掛合するための突起を設け、前記分岐本体は、流路表示部材を掛合するための凹部を少なくとも２箇所設け、前記分岐本体に対して流路表示部材を上下反転して掛合可能にしたことを特徴とする請求項４記載の分岐金具。
【発明の詳細な説明】
【０００１】
【発明の属する技術分野】
本発明は、食器洗浄機等に温水または水道水を供給するための分岐金具に関する。
【０００２】
【従来の技術】
食器洗浄機等へ温水または水道水を供給するための分岐金具が、例えば特許文献１に記載されている。
【０００３】
【特許文献１】
特許第３０２６７６９号公報（段落番号００１９から００４９）
【０００４】
しかし、この分岐金具は、１つの水栓において温水または水道水を吐水するタイプの水栓に対して使用されるものであり、給湯ハンドルと給水ハンドルとを備えたタイプの給湯給水装置に対して使用できるものではない。
このようなタイプの給湯給水装置に取り付けて、スパウトと食器洗浄機のいずれにも給湯するために用いられる分岐金具の一例を図５に示す。
【０００５】
図５は、台付き単水栓に分岐金具を取付ける際の各部品の接続の手順を示したものである。
図５（ａ）は、給水台に固定されている時の、水栓と給湯給水パイプとが結合された状態を示すものである。分岐金具を取付ける際は、図５（ｂ）に示すように、給水台に固定されていた水栓本体５１にパッキン５２をはさんで嵌合されていた給湯給水パイプ５３を一旦取り外す。
【０００６】
次に、図５（ｃ）に示すように、この水栓本体５１の上端に分岐金具５４を取付けるが、この取付けは通常、パッキン５５が組み込まれた袋ナット５６を用いて水栓本体５１と分岐金具５４とを連結することにより行われる。
その後、図５（ｄ）に示すように、一旦取り外されていた給湯給水パイプ５３が、パッキン５２をはさんで分岐金具５４に取付けられる。
【０００７】
分岐金具５４の一方の分岐口に対してカプラ−ユニット５７を接続し、このカプラ−ユニット５７に給湯ホース５８が接続される。カプラ−ユニット５７は、これに接続される給湯ホ−ス５８が外れた際に、温水または水道水が止水する機能を持つものである。
また、分岐金具５４の他方の分岐口に対して給湯給水パイプ５３が接続される。このように、分岐金具５４を取付けることによって、給湯ホース５８を通って食器洗浄機へ給湯されて食器洗浄が可能になるとともに、給湯給水パイプ５３からの給湯給水も可能となる。
【０００８】
【発明が解決しようとする課題】
しかし、上述したような配置で分岐金具５４を取付けると、分岐金具５４、カプラ−ユニット５７、及び給湯ホース５８が直線的に接続されることになり、給湯ハンドルまたは給水ハンドルと干渉しやすい。給湯ハンドルまたは給水ハンドルと干渉しないように、分岐金具５４、カプラ−ユニット５７、及び給湯ホース５８を取付けることは、水栓の設置場所の制約から困難な場合が多い。
【０００９】
さらに、給湯給水パイプが給湯ハンドル、給水ハンドルに対して下側に位置する水栓に従来の分岐金具を取付けることは問題ないが、分岐金具を反転することにより流路の切替えあるいは、止水または通水等を表示する表示部が使用者から見難い位置（例えば分岐本体の裏側）に移動することになり、使用者にとっては取扱い難いものになってしまう恐れがある。
本発明は、このような事情を考慮してなされたもので、食器洗浄機等に給湯給水する際に設置場所の制約を受けることなく給湯給水することが可能であり、操作性に優れた分岐金具を提供することを目的とする。
【００１０】
【課題を解決するための手段】
以上の課題を解決するために、本発明は、温水または水道水を複数の流路に分流するための分岐本体に分岐口を有する分岐金具であって、前記複数の流路が形成された分岐本体の分岐口にブッシュを介して継手を接続し、前記継手を前記分岐口に対して回動可能としたことを特徴とする分岐金具である。
分岐金具をこのような構成としたことにより、分岐金具を給湯給水装置に設置した際に、給湯ハンドルまたは給水ハンドルと干渉することなく、食器洗浄機等へ温水または水道水を供給するための流路を確保することができる。これに伴って、食器洗浄機等を配置する際に、スペースの制約を受けることなく、食器洗浄機等を任意の場所に設置することが可能となり、使用上の利便性が増す。
【００１１】
本発明の分岐金具においては、前記ブッシュの外周部に鍔部が形成され、この鍔部と袋ナットとの間に空隙が生じるようにして、前記ブッシュと前記分岐口とが袋ナットにより締め付けられて接続されていることを特徴とする。
継手が分岐口に対して回動可能となるようにしていることに伴い、完全固定とした場合にくらべて接続部のゆるみを生じやすくなるが、ブッシュの鍔部と袋ナットとの間に空隙があることによって、継手の回動に伴ってブッシュが回転しても、袋ナットはブッシュと接触していないため、袋ナットがブッシュの回転に引きずられて回転することはない。
従って、継手が分岐口に対して回動しても袋ナットが緩みを生じることはない。そのため、接続部のゆるみによる漏水を防止することができる。
【００１２】
本発明の分岐金具においては、前記ブッシュの外周の一部をＯリングで覆い、前記ブッシュと前記分岐口とが袋ナットにより締め付けられて接続されていることを特徴とする
ブッシュの外周の一部をＯリングで覆うことにより、継手の回動に伴ってブッシュが回転する際の回転力に対する抵抗を発生させることができるため、継手が容易に回動することを防止することができ、継手に接続された給湯給水ホースの位置設定を安定化することができる。
【００１３】
本発明の分岐金具においては、水栓吐水側または分岐側の流路を変更する切替えハンドルを、操作側から見て前記分岐本体の前面に設けたことを特徴とする。これにより、水栓吐水側または分岐側の流路を変更する際の操作が容易となる。
【００１４】
本発明の分岐金具においては、切替えハンドル近傍に流路表示部材を備えるとともに、前記流路表示部材は切欠部を有する略Ｃ形状であり、その内側に分岐本体と掛合するための突起を設け、前記分岐本体は、流路表示部材を掛合するための凹部を少なくとも２箇所設け、前記分岐本体に対して流路表示部材を上下反転して掛合可能にしたことを特徴とする。
これにより、給湯給水パイプが給湯ハンドル、給水ハンドルに対して下側に位置する水栓に取付ける場合でも、流路表示部材を上下反転できるので、流路の切替えあるいは、止水または通水を表示する表示部が使用者から見易い位置に取付けられ、容易に操作ができる。
【００１５】
【発明の実施の形態】
以下、本発明をその実施の形態に基づいて説明する。
図１に、本発明の実施の形態に係る分岐金具の構成を示す。
図１において、符号１は、その内部に温水または水道水の流路が形成される分岐本体であり、この分岐本体１には分岐口２が設けられている。分岐口２と継手３とは、継手３が分岐口２に対して回動可能となるように、袋ナット４により締付けられている。
【００１６】
継手３の他端には、カプラーユニット５が接続され、カプラーユニット５に図示しないメタルホース等が接続されて、食器洗浄機等へ温水または水道水が供給される。
また、本発明の実施の形態においては、流路を変更するための切替えハンドル６が、操作側から見て分岐本体１の前面に設けられている。
【００１７】
図２（ａ）に、分岐本体１、継手３、袋ナット４、カプラーユニット５、ブッシュ１０の各断面を示す。ブッシュ１０の外周の一部には鍔部８が設けられ、ブッシュ１０の外周の他の一部はＯリング９で覆われている。Ｏリング９は２つ以上配置されていることが好ましく、その数はブッシュ１０の寸法に応じて適宜定められる。
ブッシュ１０と継手３とは図２（ｂ）に示すように接合されて固定されるが、この際袋ナット４は締め付けられていない。
【００１８】
次に、図２（ｃ）に示すように、ブッシュ１０の一端が分岐本体１の分岐口２に挿入され、袋ナット４によって締め付けられてブッシュ１０と分岐口２とが固定される。
この状態において、切替えハンドル６によって流路が変更された温水または水道水は分岐本体１内に流入し、分岐本体１内で複数の流路に分流する。
まず、流出口７へ分流した温水または水道水は、流出口７が給湯給水パイプに接続されていることによって、図４に示す給湯給水パイプ２３側へ流出する。
一方、分岐口２へ分流した温水または水道水は、ブッシュ１０、継手３、カプラーユニット５のそれぞれに設けられた流路を通過した後、カプラーユニット５に接続された給湯給水ホース等を経て食器洗浄機等へ供給される。
【００１９】
分岐口２と継手３とは、上述したように、継手３が分岐口２に対して回動可能となるように接続されているが、このような接続としたことによって、接続部の緩みを生じやすくなる。本発明の分岐金具においては、接続部の緩みを防止するための機構を備えており、以下にその手段について説明する。
【００２０】
図３（ａ）に、ブッシュ１０を介して分岐本体１と継手３とを接続した部位の詳細を示す。また、図３（ｂ）は、図３（ａ）におけるＣ部の拡大図である。
継手３に固定されたブッシュ１０の外周を袋ナット４によって締め付けて、ブッシュ１０と分岐本体１とが接続されている。分岐本体１の分岐口２の先端部には座ぐりが設けられ、この部位に鍔部８が当接してブッシュ１０が分岐口２に嵌合している。
【００２１】
袋ナット４は部位Ａに示すように、分岐口２の先端に当接して固定されている。一方、部位Ｂに示すように、ブッシュ１０の鍔部８と袋ナット４との間には１ｍｍ程度の空隙１１が設けられている。この空隙１１が設けられていることによって、継手３の回動に伴ってブッシュ１０が回転しても、袋ナット４はブッシュ１０と接触していないため、袋ナット４がブッシュ１０の回転に引きずられて回転することはない。
【００２２】
このような構成とすることにより、継手３が分岐口２に対して回動する際に、袋ナット４が緩むことがない。分岐口２と継手３との接続部のゆるみを防止することにより、継手３が分岐口２に対して回動可能となる構成であっても、接続部からの漏水を防止することができる。
【００２３】
また、分岐口２にブッシュ１０を嵌合して袋ナット４によって締付けている部位において、ブッシュ１０の外周の一部はＯリング９で覆われ、ブッシュ１０は分岐口２で挟みこんで袋ナット４により締付けられている。締付け部位においてブッシュ１０の外周の一部がＯリング９で覆われていることにより、継手３の回動に伴ってブッシュ１０が回転する際の回転力に対する抵抗を発生させることができる。
これによって、継手３が容易に回動することを防止することができ、継手３に接続された給湯給水ホースの位置設定を安定化することができる。
また、漏水を防止することが可能となる。
【００２４】
図４に、この分岐金具を給湯給水装置に取り付ける手順を示す。
図４（ａ）に示す、給湯ハンドル２１、給水ハンドル２２、給湯給水パイプ２３を備えた給湯給水装置２４に、分岐金具を取り付けるにあたって、まず、図４（ｂ）に示すように、給湯給水パイプ２３を給湯給水装置２４から取り外す。
次に、図４（ｃ）のように、継手３とカプラーユニット５が接続された分岐本体１を、給湯給水装置２４のねじ部２５に固定するとともに、分岐本体１の流出口７に給湯給水パイプ２３を接続して、図４（ｄ）に示す構成とする。
【００２５】
図６（ａ）、（ｂ）、（ｃ）は、壁付２ハンドル水栓で上吐水タイプでの分岐金具の取付け手順を示したもので、その過程は前述のものと同様である。
図７（ａ）、（ｂ）、（ｃ）、（ｄ）は、給湯給水パイプ２３が給湯ハンドル２１、給水ハンドル２２に対して下側に位置する水栓に対して分岐金具を取付けるときの手順を示したものである。この場合には、図７（ｂ）に示すように、分岐本体１の上下を入れ替え、図７（ｃ）のように水栓本体から給湯給水パイプ２３を取り外して分岐本体１を水栓本体に取付けて、図７（ｄ）に示す状態で使用する。
【００２６】
このとき、切替えハンドル６の流路表示部材２６の表示部が下側に配置されると、表示部が使用者から見難い状態となるが、本発明においては、このような事態が生じることを防止するために、流路表示部材２６と分岐本体１とが以下のように形成されている。その詳細を図８を用いて説明する。
図８は（ａ）は、流路表示部材２６の正面、平面、底面、及び側面を示し、流路表示部材２６は切欠き部２６ａを有する略Ｃ形状であり、その内部に分岐本体１と掛合するための突起部２６ｂが設けられている。
【００２７】
分岐本体１が図８（ｂ）に示すように、流路表示部材２６を掛合するための凹部１ａを１箇所しか有していない場合には、分岐本体１を上下逆さまにして取付けたときには、流路表示部材２６のインデックスの位置が逆になって見難くなる。
本発明においては、図８（ｃ）に示すように、分岐本体１は流路表示部材２６を掛合するための凹部１ａを少なくとも２箇所有しているため、分岐本体１を上下逆さまにして取付けたときにも、インデックスを見やすい位置に取付けることが可能となる。
【００２８】
この操作は、以下のようにして行うことができる。
分岐本体１を取付けた後、図２に示す切替えハンドル６を固定しているビス２７を取り外し、切替えハンドル６を抜き取る。流路表示部材２６の切欠き部２６ａを広げて、流路表示部材２６を一旦取外し、表示部が上側になるように１８０°回転させて、流路表示部材２６の内側に設けられた突起２６ｂを分岐本体１の凹部１ａに掛合するように取付ける。最後に切替えハンドル６をビス２７で固定する。
【００２９】
本発明の実施形態に係る分岐金具を用いると、分岐本体１に接続された継手３が回動可能であるため、給湯ハンドル２１または給水ハンドル２２と干渉することなく、食器洗浄機等へ温水または水道水を供給するための流路を確保することができる。これに伴って、食器洗浄機等を配置する際に、スペースの制約を受けることなく、食器洗浄機等を任意の場所に設置することが可能となり、使用上の利便性が増す。
また、切替えハンドル６を操作側から見て分岐本体１の前面に設けているため、操作性が向上する。
【００３０】
【発明の効果】
以上説明したように、本発明によると、以下の効果を奏することができる。
（１）複数の流路が形成された分岐本体の分岐口にブッシュを介して継手を接続し、継手を分岐口に対して回動可能としたことにより、分岐金具を給湯給水装置に設置した際に、給湯ハンドルまたは給水ハンドルと干渉することなく、食器洗浄機等へ温水または水道水を供給するための流路を確保することができる。
これに伴って、食器洗浄機等を配置する際に、スペースの制約を受けることなく、食器洗浄機等を任意の場所に設置することが可能となり、使用上の利便性が向上する。
【００３１】
（２）ブッシュの外周部に鍔部が形成され、この鍔部と袋ナットとの間に空隙が生じるようにして、ブッシュと分岐口とが袋ナットにより締め付けられて接続されていることにより、継手が分岐口に対して回動しても袋ナットが緩みを生じることはない。そのため、接続部のゆるみによる漏水を防止することができる。
【００３２】
（３）ブッシュの外周の一部をＯリングで覆い、ブッシュと分岐口とが袋ナットにより締め付けられて接続されていることにより、継手の回動に伴ってブッシュが回転する際の回転力に対する抵抗を発生させることができる。そのため、継手が容易に回動することを防止することができ、継手に接続された給湯給水ホースの位置設定を安定化することができる。また、漏水を防止することが可能となる。
【００３３】
（４）温水または水道水の流路を変更する切替えハンドルを、操作側から見て前記分岐本体の前面に設けたことにより、温水または水道水の流路を変更する際の操作が容易となる。
【００３４】
（５）切替えハンドル近傍に流路表示部材を備えるとともに、流路表示部材は切欠部を有する略Ｃ形状であり、その内側に分岐本体と掛合するための突起を設け、分岐本体は、流路表示部材を掛合するための凹部を少なくとも２箇所設け、分岐本体に対して流路表示部材を上下反転して掛合可能にしたことにより、給湯給水パイプが給湯ハンドル、給水ハンドルに対して下側に位置する水栓に取付ける場合でも、流路表示部材を上下反転できるので、流路の切替えあるいは、止水または通水を表示する表示部が使用者から見易い位置に取付けられ、容易に操作ができる。
【図面の簡単な説明】
【図１】本発明の実施の形態に係る分岐金具の構成を示す図である。
【図２】図１に示した分岐本体と継手とが接続されるまでの過程の断面を示す図である。
【図３】分岐本体と継手との接続の詳細を示す図である。
【図４】分岐金具を台付２ハンドル水栓に取付ける手順を示す図である。
【図５】分岐金具を台付単水栓に取付ける際の各部品の接続の手順を示した図である。
【図６】壁付２ハンドル水栓（上側吐水）への取付けの一例を示す図である。
【図７】壁付２ハンドル水栓（下側吐水）への取付けの一例を示す図である。
【図８】流路表示部材と分岐本体に設けられた凹部の説明図である。
【符号の説明】
１  分岐本体
２  分岐口
３  継手
４  袋ナット
５  カプラーユニット
６  切替えハンドル
７  流出口
８  鍔部
９  Ｏリング
１０  ブッシュ
１１  空隙
２１  給湯ハンドル
２２  給水ハンドル
２３  給湯給水パイプ
２４  給湯給水装置
２５  ねじ部
２６  流路表示部材
２６ａ  切欠部
２６ｂ  突起部
【図１】
2004156354.tif 000003
【図２】
2004156354.tif 000004
【図３】
2004156354.tif 000005
【図４】
2004156354.tif 000006
【図５】
2004156354.tif 000007
【図６】
2004156354.tif 000008
【図７】
2004156354.tif 000009
【図８】
2004156354.tif 000010